(57)【特許請求の範囲】
【請求項１】
比較的長いほぼ平行の一対の端子を備え該端子の先端部が平行状態のまま一方向へ屈曲するディスクリート電気部品を、その端子部分で取付部に支え保持するようにしたものにおいて、
前記取付部に全体として柱状に設けられ、主体部と、この主体部の両側にそれぞれ突設された第１の一対の鍔部及び第２の一対の鍔部とを有して構成された支え部を備え、
該支え部は断面ほぼＨ形をなし、該支え部における第１の鍔部の一方及びこれに対応する第２の鍔部の一方の先端部が斜状に形成され、且つ、これら第１の鍔部の一方及びこれに対応する第２の鍔部の一方は支え部の基端部でとぎれた形態に形成された構成であり、
前記主体部と第１の一対の鍔部とで構成される第１の凹陥部と、前記主体部と第２の一対の鍔部とで構成される第２の凹陥部とに前記一対の端子をそれぞれ嵌入して、前記ディスクリート電気部品を支え保持するようにしたことを特徴とするディスクリート電気部品支え装置。
【発明の詳細な説明】
【０００１】
【発明の属する技術分野】
本発明は、ディスクリート電気部品の端子を支え保持するディスクリート電気部品支え装置に関する。
【０００２】
【発明が解決しようとする課題】
図７には、従来におけるディスクリート電気部品支え装置の一例を示している。ディスクリート電気部品としての例えばＬＥＤ１は、比較的長いほぼ平行の一対の端子２、３を備えている。この端子２、３の先端部は、図７において平行なまま手前に屈曲され、さらに横へ広がるように屈曲されている。
一方、プラスチック製の基板４には柱状の支え部５が形成されており、横断面はほぼＴ状をなす。
【０００３】
しかして、ＬＥＤ１の端子２、３を予め支え部５の主体部５ａ両側に嵌合させることにより、ＬＥＤ１を基板４に支え保持しておき、その状態で、端子２、３の先端を基板４の接合部４ａ、４ｂに例えば抵抗溶着接合にて電気的に接続する。
【０００４】
ところが、上記従来においては、電気接続前において、ＬＥＤ１が矢印Ａ方向へずれ易く、電気接続部位置が適正位置から外れるといった問題がある。また、電気接続後においても、基板４の組付け時などにＬＥＤ１が矢印Ａ方向へ外力を受けた場合に、端子２、３がその方向へ倒れて発光部１ａの位置がずれてしまう虞もある。
【０００５】
本発明は上記した事情に鑑みてなされたものであり、その目的は、ディスクリート電気部品の端子の電気接続位置の安定化に寄与できると共に、電気接続状態でのディスクリート電気部品の姿勢の安定化にも寄与できるディスクリート電気部品支え装置を提供するにある。
【０００６】
【課題を解決するための手段】
請求項１の発明は、比較的長いほぼ平行の一対の端子を備え該端子の先端部が平行状態のまま一方向へ屈曲するディスクリート電気部品を、その端子部分で取付部に支え保持するようにしたものにおいて、
前記取付部に全体として柱状に設けられ、主体部と、この主体部の両側にそれぞれ突設された第１の一対の鍔部及び第２の一対の鍔部とを有して構成された支え部を備え、
該支え部は断面ほぼＨ形をなし、該支え部における第１の鍔部の一方及びこれに対応する第２の鍔部の一方の先端部が斜状に形成され、且つ、これら第１の鍔部の一方及びこれに対応する第２の鍔部の一方は支え部の基端部でとぎれた形態に形成された構成であり、
前記主体部と第１の一対の鍔部とで構成される第１の凹陥部と、前記主体部と第２の一対の鍔部とで構成される第２の凹陥部とに前記一対の端子をそれぞれ嵌入して、前記ディスクリート電気部品を支え保持するようにしたところに特徴を有する。
【０００７】
これによれば、ディスクリート電気部品の一対の端子が第１の凹陥部と第２の凹陥部とに嵌入されるから、ディスクリート電気部品がずれることなく支え保持される。従って、端子先端を電気接続する場合も電気接続した後も、ディスクリート電気部品の姿勢や位置がずれるようなことがない。
【０００９】
ディスクリート電気部品としては、端子の先端部が平行状態のまま一方向へ屈曲する形態のものがあり、この場合、その屈曲する先端部分が邪魔になって一対の端子を支え部の第１の凹陥部と第２の凹陥部に嵌入しづらいことが懸念される。
【００１０】
しかるにこの請求項１の発明では、支え部における第１の鍔部の一方及びこれに対応する第２の鍔部の一方の先端部が斜状に形成されているから、一対の端子において屈曲する先端部分が、第１の鍔部及び第２の鍔部の斜状の部分に沿って移動して相互間が良好に広がり、第１の鍔部及び第２の鍔部がとぎれた部分で、前記一対の端子において屈曲する先端部分が元状態に復帰し、第１の凹陥部及び第２の凹陥部に一対の端子が嵌入する。
【００１１】
【発明の実施の形態】
以下、本発明の第１の実施例について、図１ないし図５を参照して説明する。図５には、自動車のパワーウインドウスイッチ１１の外観を示しており、スイッチケース１２には、スイッチノブ１３〜１６が上下回動可能に設けられている。各スイッチノブ１３〜１６を上方及び下方への操作に基づいて、自動車の運転席側ウインドウ、助手席側ウインドウ、後部座席左右のウインドウが開閉されるものである。運転席側ウインドウに対応するノブ１３には、運転席ウインドウ用のノブであることを示す表示部１３ａが形成されており、この表示部１３ａは光表示されるようになっている。
【００１２】
図４には前記表示部１３ａの下方に設けられるディスクリート電気部品たるＬＥＤ１７及びディスクリート電気部品支え装置２１が示されている。ＬＥＤ１７は、ＬＥＤ本体（発光部）１８と一対の比較的長い平行な端子１９、２０とから構成されており、端子１９、１０の先端部は、平行状態のまま一方向（図４では前方）へ屈曲し（部分１９ａ、２０ａ）、さらに、左右方向に屈曲している（部分１９ｂ、２０ｂ）。
【００１３】
ディスクリート電気部品支え装置２１は支え部２２を備えて構成されており、この支え部２２は、取付部たる回路基板２３に形成されている。この回路基板２３は、プラスチック製の基体２４により導体２５をモールドして構成されており、導体２５は、接合部２５ａ、２５ｂが露出している。
【００１４】
前記支え部２２は、上記基体２４に例えば一体成形により全体として柱状に形成されたものであり、主体部２６を有すると共に、この主体部２６の両側にそれぞれ突設された第１の一対の鍔部２７ａ、２７ｂ及び第２の一対の鍔部２８ａ、２８ｂとを有して構成されており、断面ほぼＨ形をなす。
【００１５】
そして、前記主体部２６と第１の一対の鍔部２７ａ、２７ｂとで第１の凹陥部２９が構成され、前記主体部２６と第２の一対の鍔部２８ａ、２８ｂとで第２の凹陥部３０が構成されている。
【００１６】
さらに、該支え部２２における第１の鍔部の一方である鍔部２７ａ及びこれに対応する第２の鍔部の一方である鍔部２８ａの先端部が斜状（斜状の部分２７ｃ、２８ｃ）に形成され、且つ、これら鍔部２７ａ及び鍔部２８ａは支え部２２の基端部でとぎれている（部分２７ｄ、２８ｄ）。
この支え部２２により、ＬＥＤ１７を支え保持していると共に、端子１９、２０の部分１９ｂ、２０ｂが接合部２５ａ、２５ｂに例えば抵抗溶接により接合されている。
【００１７】
上記ＬＥＤ１７を支え保持させる手順について述べると、図１に示すように、ＬＥＤ１７を支え部２２上方に位置させ、この状態から、ＬＥＤ１７を下方へ移動させて、端子１９、２０の部分１９ａ、２０ａを斜状の部分２７ｃ、２８ｃに当てて摺動させる。すると、端子１９、２０が弾性により拡開し、斜状の部分２７ｃ、２８ｃから鍔部２７ａ、２８ａ先端を下方へ摺動し、該鍔部２７ａ、２８ａのとぎれた部分２７ｄ、２８ｄにて、端子１９、２０が弾性復元力により元状態に戻る。これにて、端子１９、２０が、第１の凹陥部２９、第２の凹陥部３０にそれぞれ嵌入する。この結果、ＬＥＤ１７が支え部２２により支え保持される（図３及び図４参照）。なお、この状態では、端子１９、２０の最先端の部分１９ｂ、２０ｂが接合部２５ａ、２５ｂに位置する。この位置状態で、溶接接合する。
【００１８】
このように本実施例によれば、ＬＥＤ１７の一対の端子１９、２０が第１の凹陥部２９と第２の凹陥部３０とに嵌入されるから、ＬＥＤ１７がずれることなく支え保持される。従って、端子１９、２０を電気接続する場合も、また電気接続した後も、ＬＥＤ１７の姿勢や位置がずれるようなことがない。
【００１９】
特に、一対の端子１９、２０が、屈曲する部分１９ａ、２０ａを有する構成でありながらも、支え部２２における第１の鍔部２７ａ及び第２の鍔部２８ａの先端部が斜状に形成され、これら鍔部２７ａ及び２８ａの基端部がとぎれているから、一対の端子１９、２０が、良好に第１の凹陥部２９及び第２の凹陥部３０に嵌入するようになる。すなわち、一対の端子１９、２０の屈曲する先端部分１９ｂ、２０ｂが、第１の鍔部及び第２の鍔部の斜状の部分２７ｃ、２８ｃに沿って移動して相互間が広がり、第１の鍔部２７ａ及び第２の鍔部２８ａがとぎれた部分２７ｄ及び２８ｄで、元状態に復帰し、もって、一対の端子１９、２０が、良好に第１の凹陥部２９及び第２の凹陥部３０に嵌入する。
【００２０】
図６には本発明の第２の実施例を示しており、この第２の実施例に示す支え部４１は第１の凹陥部４２及び第２の凹陥部４３が円弧溝状をなすように、主体部４４、第１の一対の鍔部４５ａ、４５ｂ、第２の一対の鍔部４６ａ、４６ｂの内面が丸みをなして形成されている。このようにしても第１の実施例と同様の作用効果を期待できる。
本発明は上記した各実施例に限定されず、ディスクリート電気部品としてはＬＥＤ以外でも良く、例えばトランジスタや抵抗、あるいはコンデンサなどでも良い。
【００２１】
【発明の効果】
本発明は、以上の説明から明らかなように、ディスクリート電気部品の端子の電気接続位置の安定化に寄与できると共に、電気接続状態でのディスクリート電気部品の姿勢の安定化にも寄与できる。
【図面の簡単な説明】
【図１】本発明の第１の実施例を示す組付け前の斜視図
【図２】支え部の横断面図
【図３】組付け状態での正面図
【図４】組付け状態での斜視図
【図５】パワーウインドウスイッチの外観斜視図
【図６】本発明の第２の実施例を示す図２相当図
【図７】従来例におけるディスクリート電気部品支え装置の外観斜視図
【符号の説明】
１１はパワーウインドウスイッチ、１３〜１６はスイッチノブ、１３ａは表示部、１７はＬＥＤ（ディスクリート電気部品）、１８はＬＥＤ本体、１９、２０は端子、２１はディスクリート電気部品支え装置、２２は支え部、２３は回路基板（取付部）、２４は基体、２５は導体、２５ａ、２５ｂは接合部、２６は主体部、２７ａ、２７ｂは第１の一対の鍔部、２８ａ、２８ｂは第２の一対の鍔部、２７ｃ、２８ｃは斜状の部分、２９は第１の凹陥部、３０は第２の凹陥部、４１は支え部、４１は第１の凹陥部、４２は第２の凹陥部、４４は主体部、４５ａ、４５ｂは第１の一対の鍔部、４６ａ、４６ｂは第２の一対の鍔部を示す。
【図１】
0003939993.tif 000002
【図２】
0003939993.tif 000003
【図３】
0003939993.tif 000004
【図４】
0003939993.tif 000005
【図５】
0003939993.tif 000006
【図６】
0003939993.tif 000007
【図７】
0003939993.tif 000008